(57)【要約】【課題】簡単な構成で浴室の内壁面の所望の位置に確実に固定保持でき、シャワーヘッドの保持角度の変更も容易なシャワーフックの提供を目的とする。【解決手段】シャワーフックを、かまぼこ形のベース部材１と、このベース部材の表面に取り付けられるフック部材２とで構成し、ベース部材には、ガイド溝３と複数の位置決め孔４ａ，４ｂ，４ｃとを設け、フック部材の裏面には、この位置決め孔と係合可能な突起１０を設けた。そして、前記ガイド溝を貫通したばね付きのねじで、フック部材をこのガイド溝に沿って移動可能に、ベース部材の表面に取り付け、ばねの付勢力で、上記位置決め孔と突起との係合状態が維持されるようにした。また、ベース部材の裏面には、吸盤と磁石の二種の吸着手段を設け、壁面との吸着が確実になされるようにした。【選択図】  図１
2005090099.tif 000002
【特許請求の範囲】
【請求項１】
表面が半円弧状に前方に突出した略かまぼこ形に形成され、裏面に設けられた吸着手段により浴室内壁面の所望の位置に吸着固定されるベース部材と、
該ベース部材の前面に取り付けられ、シャワーヘッドを掛脱可能に掛支保持するフック部材とからなり、
フック部材が、ベース部材の表面の湾曲により、その取付位置によって壁面に対する取付角度が変わり、このことでシャワーヘッドの掛支角度が変えられるようになされたことを特徴とするシャワーフック。
【請求項２】
ベース部材の表面の湾曲した方向に案内溝が設けられると共に、この案内溝に沿って複数の位置決め孔が設けられ、
フック部材の裏面には、上記位置決め孔と係合可能な突起が設けられ、
かつ、該フック部材が、上記案内溝を貫通したばね付きねじで、ベース部材の表面に接する方向に引っ張られて、該ベース部材に移動可能、脱落不可に取り付けられていることを特徴とする請求項１記載のシャワーフック。
【発明の詳細な説明】
【技術分野】
【０００１】
本発明は、浴室の壁面などに取り付けられ、シャワーヘッドを掛支保持するシャワーフックに関する。
【背景技術】
【０００２】
一般にこの種のシャワーフックは、浴室の壁面にねじ止めなどの手段で取り付けられるようになっていた。そのため、取付個所から水漏れや錆を生じるおそれがあり、取付時にその対策も講じなくてはならず、作業に大変手間を要するという問題点があった。また、取付後は、その位置の変更が困難であるという問題点も有していた。
【０００３】
この点を改善した従来のものとしては、裏面に吸着盤が設けられた保持部材にシャワーヘッド掛止用フック部材を回動可能に保持させ、吸着盤を用いて壁面の所望位置に取り付けるようにしたものがあった。なお、このフック部材の保持は、保持部材の前面に突設された左右一対のアームを貫通した枢支部材を支点としてなされ、この枢支部材を出没する方向に駆動することにより、その内部に設けられた係脱機構を係脱可能とし、このことで保持部材に対してフック部材を回動可能な状態と、回動不能な状態とに切り替えるようにしていた。（例えば、特許文献１参照）。
【０００４】
また、この他に伸縮可能な支持棒にシャワーヘッドをスライド可能に取り付け、前記支持棒を弾発付勢手段により、浴室の天井と床との間に突っ張るように圧接させ、この間に直立状態に保持するようにしたものもあった。（例えば、特許文献２参照）。
【特許文献１】特開２００３−１１９８５５号公報（第２−３頁、第２図）
【特許文献２】特開平８−３１１９４６号公報（第５−６頁、第７図）
【発明の開示】
【発明が解決しようとする課題】
【０００５】
上述した従来のシャワーフックのうち、前者の吸着盤で取り付けるようにしたものは、浴室内壁面の任意の位置に取り付けることができ、また、取付位置の変更も容易に行えるが、シャワーヘッドの角度を変えるためには、保持部材に枢支されたフック部材を、回動可能な状態と、回動不能な状態に切り替えなくてはならず、そのための係脱機構が複雑になるという問題点があった。
【０００６】
また、このシャワーフックは、吸着盤の吸着力のみで壁面に固定されているので、多機能で大型化した近年のシャワーヘッドに対しては、その保持力が不足し、壁面に目地や凹凸模様などがあると、一層その保持力が低下するおそれがあり、使用時にシャワーヘッドが壁面から脱落し、損傷を受けたり、思わぬ怪我をするおそれがあった。
【０００７】
また、後者の伸縮可能な支持棒を、浴室の天井と床との間につっぱらせて固定し、この支持棒でシャワーフックをスライド可能に支持するようにしたものは、浴室の壁面に傷を付けることなく、シャワーフックを取り付けることができ、かつ任意の高さ位置に移動させることもできるが、一度設置すると、横方向へ移動させることができないという問題点があった。また、一般に浴室内には、カウンターと称せられる壁面の突出部分や収納棚、及び鏡や排水口などの種々の付帯設備が有り、これらで支持棒を取り付ける位置が制限されるという問題点もあった。さらに、このように支持棒を天井と床との間に突っ張らせて設けた場合、従来の浴室ユニットの天井は、下から圧力を受けることが全く想定されていなかったので、強度が不十分で撓みを生じたり、その組立接合部分に隙間を生じたりするおそれがあり、十分な支持力が得られないばかりか、浴室ユニットとしての密閉性が損なわれ、思わぬトラブルを引き起こすおそれさえあった。
【課題を解決するための手段】
【０００８】
上記の問題点を解決するために、本発明のうち、請求項１記載の発明は、表面が半円弧状に前方に突出した略かまぼこ形で、裏面に設けられた吸着手段により浴室内壁面の所望の位置に吸着固定されるベース部材と、このベース部材の前面に取り付けられ、シャワーヘッドを掛脱可能に掛支保持するフック部材とでシャワーフックを構成し、フック部材が、ベース部材の表面の湾曲により、その取付位置によって壁面に対する取付角度が変わり、このことでシャワーヘッドの掛支角度が変えられるようにしたことを特徴とする。
【０００９】
請求項２記載の発明は、請求項１記載の発明の構成中、ベース部材を、その表面の湾曲した方向に案内溝が設けられ、この案内溝に沿って複数の位置決め孔が設けられたものと限定すると共に、フック部材を、その裏面に上記位置決め孔と係合可能な突起が設けられたものと限定し、さらにこのフック部材が、上記案内溝を貫通したばね付きねじで、ベース部材の表面に接する方向に引っ張られて、ベース部材に移動可能、脱落不可に取り付けられたという構成を加えたことを特徴とする。
【発明の効果】
【００１０】
本発明のうち、請求項１記載の発明では、シャワーフックを、かまぼこ形のベース部材と、このベース部材の表面に取り付けられるフック部材とで構成し、ベース部材の表面の湾曲を利用してフック部材の取付角度が変えられるようにしているので、従来のように枢支点を設けて回動により角度を変更するものに比し、構成が簡素化され、製造が容易になると共に、壊れるおそれも少なくなる。また、フック部材の保持も確実で、使用時にシャワーヘッドの保持角度が不用意に変わるおそれもなく、取扱性に優れる。さらにベース部材を吸着手段を用いて浴室の壁面に吸着固定するようにしているので、浴室内壁面を傷つけることなく、その任意の位置に確実にシャワーフックを取り付けることができる。よって、利便性に優れると共に、シャワーヘッドの不用意な脱落による事故も防止され、安全性にも優れるという効果がある。
【００１１】
請求項２記載の発明は、ばね付きのねじを用いてフック部材をベース部材に移動可能、脱落不可に取り付け、ベース部材の表面に設けられた位置決め孔に、フック部材の裏面に設けられた突起を係合させることにより、フック部材を所定の角度に固定保持することとしたので、上記請求項１記載の発明の効果に加え、フック部材の角度変更がより容易に行えるという効果がある。
【発明を実施するための最良の形態】
【００１２】
以下、本発明を図示した最良の形態に基づき説明する。
【００１３】
図１は、本発明のシャワーフックの分解斜視図、図２はその組立状態の正面図である。図示したように、このシャワーフックは、かまぼこ形のベース部材１と、このベース部材１の表面に取り付けられるフック部材２とで構成されている。
【００１４】
上記ベース部材１は、表面が半円弧状に前方（図１において紙面の手前左側）に突出した形状に合成樹脂で形成されたものであり、この突出した個所の中央部分には、その湾曲した方向に沿ってスリット状のガイド溝３が設けられ、このガイド溝３の両側には、このガイド溝３に沿って複数の位置決め孔４ａ，４ｂ，４ｃが、左右対称に設けられている。      
【００１５】
また、このベース部材１の裏面は、図３の断面図に示すように、やや奥まった位置（前面寄り）に後壁５が設けられ、この後壁５の中央部分に設けられた透孔５ａに吸盤６が取り付けられ、この透孔５ａの上下に設けられた保持部５ｂには、それぞれ磁石７が装着されている。
【００１６】
なお、この保持部５ｂは、ベース部材１とは別に金属で形成され、後付けされたものであっても良い。また、図示していないが、この磁石７の裏面側（図３において右側）は、ビニールなどの適宜手段でコーティングされている。
【００１７】
フック部材２は、上記ベース部材１の表面とほぼ同じ曲率に形成された基部８の表面に、軸部９を突設したものであり、この軸部９には、その上下方向（軸を横切る方向）に、シャワーヘッドの掛支孔９ａが、下方漸縮状に貫通して設けられると共に、軸部９の先端（図２において紙面の手前側）が、この掛支孔９ａ内に連続するように狭幅に開放されている。また、基部８の裏面側には、上記ベース部材１の表面に設けられた左右の位置決め孔４ａ，４ｂ，４ｃと係合する突起１０が、一対、突設されており、この突起１０，１０の間には、ねじ止め用の雌ねじ穴１１が設けられている。なお、このフック部材２は、上記ベース部材１と同様に合成樹脂で形成されている。
【００１８】
そして、その組み立ては、まずフック部材２を図１に矢印で示すように、ベース部材１の中央の位置決め孔４ｂ，４ｂに、裏面の突起１０，１０を挿入することにより仮止めし、次いで、この状態で図３に示すように、ガイド溝３の裏側からばね１３付きのねじ１２をフック部材２の雌ねじ穴１１にねじ込み、フック部材２をベース部材１に取り付けることによりなされ、このことで、フック部材２は、ばね１３の付勢力によりベース部材１の表面に圧接した状態に保持されるものである。なお、このねじ１２の締め込みは、ベース部材１の後壁５に設けられた透孔５ａからなされ、その後、この透孔５ａは、吸盤６の中心軸６ａで塞がれるようになっている。
【００１９】
このようにしてなる本発明のシャワーフックは、吸盤６と磁石７の二種の異なる吸着手段により、図３に示すように、浴室の内壁面Ｗの任意の位置に強力に吸着し、固定保持されるものである。なお、この時、浴室の壁面Ｗを構成したパネルＷａは、磁石７の吸着力を有効に作用させるために、琺瑯パネルなどの金属で形成されていることが望ましいが、壁面が樹脂パネルなどで形成されたものであっても、その裏側（浴室ユニットの外側）には、組立用に金属製のフレームが設けられているので、取付位置の制約は、受けるものの磁石７と吸盤６の二つの吸着力を作用させてシャワーフックを強力に固定することが可能である。また、場合によっては、シャワーフックの取り付けが想定される樹脂パネル（図示せず）の裏面に、予め金属などの磁性材を添接しておいても良い。
【００２０】
なお、図３において符号Ｗｂは、パネルＷａの裏側（浴室の外側）に添接された断熱材を示す。
【００２１】
そして、このようにして壁面Ｗに取り付けられたシャワーフックの先端の開放部分からシャワーホース（図示せず）を掛支孔９ａ内に挿入し、シャワーホース先端のシャワーヘッド（図示せず）を、この掛支孔９ａに落し込むことにより、シャワーヘッドが該掛支孔９ａで保持され、壁面Ｗに対して所定の角度で傾斜し、保持されるようになっている。
【００２２】
そして、このシャワーヘッドの保持角度を変えたい場合は、ばね１３でベース部材１と接する方向に付勢されているフック部材２を、このばね１３の付勢力に抗して、引き上げ、突起１０と位置決め孔４ｂとの係合を外し、この状態でフック部材２をベース部材１のガイド溝３に沿って上下何れかの方向に移動させれば良く、このことで、フック部材２の裏面に設けられた突起１０が、ベース部材１の異なった位置に設けられた位置決め孔４ａ（または４ｃ）に係合し、フック部材２は、図３に破線で示したように、壁面Ｗに対して異なった傾斜角度で保持されるようになっている。
【００２３】
なお、この時、ばね１３の付勢力は、磁石７と吸盤６の吸着力よりも弱く設定されているので、ベース部材１が壁面Ｗから脱落するおそれはない。また、フック部材２は、ガイド溝３を貫通したねじ１２でベース部材１に連結されているので、フック部材２がベース部材１から脱落するおそれもない。
【００２４】
以上のようにして本発明のシャワーフックでは、ベース部材１の表面の湾曲により、フック部材２の取付角度が変わり、このことでシャワーヘッドの掛支角度が変えられるようになっている。
【００２５】
図４は、本発明の他の実施形態によるベース部材を示し、図５は、このベース部材を用いたシャワーフックの取付状態を示した断面図である。図示したように、この場合は、ベース部材２１の表面に設けられる位置決め孔を角孔２３としてガイド溝を無くし、フック部材２２の裏面には、この角孔２３に係合する左右対の鉤フック２４を上下に設けている。従って、この実施形態のものでは、フック部材２２をベース部材２１の表面に沿って上方に移動させれば、角孔２３と鉤フック２４との係合が外れ、フック部材２２は、ベース部材２１から取り外すことができ、しかる後、鉤フック２４を他の位置に設けられた角孔２３に差し込み、フック部材２２を下方に移動させれば、フック部材２２をベース部材２１の表面の異なる位置に、異なる角度で取り付けることができ、このことで、シャワーヘッドの掛支保持角度の変更がなされるものである。
【００２６】
なお、この実施形態のものもベース部材２１は、磁石７と吸盤６の二種の吸着手段により、浴室の壁面Ｗに固定されるようになっている。
【００２７】
以上のようにして本発明のシャワーフックは、浴室の壁面に取り付けられ、使用されるものである。
【００２８】
なお、図示した実施の形態では、ベース部材１（または２１）を、磁石７と吸盤６の二種の異なる吸着手段を用いて壁面Ｗに吸着固定するようにした例を示したが、シャワーフックとして十分な吸着保持力が得られるのであれば、必ずしも両者を併用する必要はない。
【図面の簡単な説明】
【００２９】
【図１】本発明のシャワーフックの実施形態を示した分解斜視図である。
【図２】図１に示したシャワーフックの組立状態正面図である。
【図３】図２のＡ−Ａ線の断面図である。
【図４】ベース部材の他の形態を示した斜視図である。
【図５】他の形態によるシャワーフックの取付状態断面図である。
【符号の説明】
【００３０】
１，２１  ベース部材
２，２２  フック部材
３  ガイド溝
４ａ，４ｂ，４ｃ  位置決め孔
５  後壁
５ａ  透孔
５ｂ  保持部
６  吸盤
６ａ  中心軸
７  磁石
８  基部
９  軸部
９ａ  掛支孔
１０  突起
１１  雌ねじ穴
１２  ねじ
１３  ばね
２３  角孔
２４  鉤フック
【図１】
2005090099.tif 000003
【図２】
2005090099.tif 000004
【図３】
2005090099.tif 000005
【図４】
2005090099.tif 000006
【図５】
2005090099.tif 000007